(57)【要約】【課題】回転操作式のスイッチと押圧操作式のスイッチを兼用したスイッチを備えたカメラ等の電子機器において、部品点数の増大、構造の複雑化、大型化、回転操作時の切り換え電極数の減少、防水構造を実現する際の大型化等の不具合を招くことのない防水型電子機器のスイッチ構造を提供することができる。【解決手段】第１の部材３１を備え、且つ電子機器本体の上カバー４０に設けた開口４０ａ内に嵌合されて回転可能に支持されたモードダイヤル７と、第１の部材の内部に軸方向移動可能に配置された押圧式の電源スイッチボタン８と、電子機器本体とモードダイヤルと電源スイッチボタンとの接続部を封止する防水手段と、モードダイヤルの回転時に順次ＯＮ、ＯＦＦする複数のモード接点６２と、電源スイッチボタンの押圧時にＯＮする押圧接点６３と、を備え、非押圧時における電源スイッチボタンの表面を第１の部材の表面から突出しないように構成した。【選択図】　　　図３
2004146163.tif 000002
【特許請求の範囲】
【請求項１】
回転式操作部としての環状の第１の部材を備え、且つ電子機器本体の上カバーに設けた開口内に嵌合されて回転可能に支持されたモードダイヤルと、該環状の第１の部材の内部に軸方向移動可能に配置された押圧式の電源スイッチボタンと、前記電子機器本体と前記モードダイヤルと前記電源スイッチボタンとの接続部を封止する防水手段と、前記モードダイヤルの回転時に順次ＯＮ、ＯＦＦする複数のモード接点と、前記電源スイッチボタンの押圧時にＯＮする押圧接点と、を備え、
非押圧時における電源スイッチボタンの表面を前記第１の部材の表面から突出しないように構成したことを特徴とする防水型電子機器のスイッチ構造。
【請求項２】
前記モードダイヤルは、前記第１の部材と、該第１の部材の下方に位置して該第１の部材に固定される第２の部材と、該第２の部材の下部に連結されて一体回転する回転部材と、該回転部材の下部に配置した回転電極と、を備え、
前記電源スイッチボタンは、前記第１の部材の内部に露出配置される弾性材料から成る押圧操作部と、該押圧操作部に上端部を固定され且つ中間部を前記第２の部材の中心部に位置するスリーブ内に回転及び軸方向移動自在に遊嵌され、且つ下部に押圧電極を備えた軸部と、を備え、
前記回転部材下部の回転電極の円形の移動経路に沿った位置に回転電極と接触可能な複数の前記モード接点を備えると共に、前記押圧操作部を押圧したときに前記押圧電極とＯＮする位置に押圧接点を備えていることを特徴とする請求項１に記載の防水型電子機器のスイッチ構造。
【請求項３】
前記第２の部材は、前記軸部を内部に遊嵌するスリーブと、該スリーブの上端縁に一体化したフランジ部と、を備え、
前記フランジ部上には前記第１の部材を固定すると共に、該フランジ部外周縁と第１の部材の外周下面との間で前記上カバーの内周縁を挟み込むことにより、前記第２の部材を上カバーにより回転自在に支持し、
前記上カバー、第１の部材、及び第２の部材をユニットとして、電子機器本体に対して取り付け可能としたことを特徴とする請求項１又は２に記載の防水型電子機器のスイッチ構造。
【請求項４】
前記電子機器本体は、前記フランジ部の下面と対向する位置に機器本体カバーを備え、該機器本体カバーの中心開口内に前記スリーブを回転可能に遊嵌し、
前記機器本体カバーと前記第２の部材との間に配置した環状パッキンを前記防水手段としたことを特徴とする請求項１、２又は３に記載の防水型電子機器のスイッチ構造。
【請求項５】
前記開口を中心として円形を描くように前記機器本体カバーの上面に配置した複数の穴と、各穴内に配置された弾性付勢部材と、該弾性付勢部材により上向き付勢されたクリックボールと、
前記モードダイヤルを構成するフランジ部下面に形成され且つモードダイヤルの回転時に前記クリックボールが嵌合するクリック用凹所と、
から成るクリック機構を備え、
前記各穴と各クリック用凹所との周方向位置関係は、前記回転電極と前記各モード接点との位置関係と対応しており、何れかのクリック用凹所内にクリックボールが嵌合したときに、特定のモード接点と回転電極とが接続して特定のモード状態に移行できるように構成されていることを特徴とする請求項１、２、３又は４の何れか一項に記載の防水型電子機器のスイッチ構造。
【請求項６】
前記押圧操作部は、被押圧部と、該被押圧部から外径方向斜め下方へ拡開した弾性スカート片と、を備え、該弾性スカート片の外周端縁を前記第１の部材と前記フランジ部との間で挟圧固定することにより被押圧部を変位可能に支持すると共に、押圧操作部の下方に位置する前記軸部に対する防水手段としたことを特徴とする請求項１乃至５の何れか一項に記載の防水型電子機器のスイッチ構造。
【発明の詳細な説明】
【０００１】
【発明の属する技術分野】
本発明は、回転操作式スイッチと押圧操作式スイッチを兼用したスイッチを備えた防水型電子機器のスイッチ構造に関するものである。
【０００２】
【従来の技術】
デジタルスチルカメラ等の電子カメラ、銀塩カメラ等のカメラ類を初めとした各種電子機器には、押下げにより作動する押下スイッチと、回転（回動）させることによりモードの切り換え等を行う回転操作スイッチを装備したものがある。例えば、カメラにおける押下スイッチとしては電源スイッチが用いられ、回転操作スイッチとしては撮影モード等を切り換えるためのモードスイッチが用いられる。
しかし、カメラ等の電子機器の狭い外表面に、二種類のスイッチを別個に配置することは、小型化を妨げる原因となるため、この点の改善が求められている。
特開２０００−５６０４８『電子機器用複合スイッチ』（セイコーインスツルメンツ）には、回転操作と押下げ操作との異なる動きのスイッチ操作を一つのボタンで実現可能な複合スイッチを得るための技術が提案されている。即ち、回転方向のスイッチ操作においては、回転自在且つ軸方向移動自在に支持されたボタン軸の先端に一体化したカムの外周面により接点ばねを変形させることにより任意の電極を選択的に接続することとし、押下げ方向へのスイッチ操作においてはボタン軸下端部と対向配置された接点バネをボタン軸下端部により押圧して変形させることにより電極を接続させる。また、回転方向戻しばねと押下げ方向戻しばねをボタンの内部に設けることで、所定の位置にボタンを自動復帰させる。さらに、ボタン回転操作時には、ボタン外壁の下面がケースに設けたボタン受け台の上面に近接して平面的に重なる構成として、スイッチ機能の誤操作を防止している。
しかし、この従来例では、カムの外径方向に周方向に沿って配置された複数の接点ばねを、ボタン軸と一体回転するカムの外周面（カム面）によって選択的にＯＮ、ＯＦＦするように構成しているため、カムによりＯＮ、ＯＦＦされる接点ばねの設置スペースが極限され、カメラ等に設けられる多数のモードを全て実現できる程、接点ばねを多数設けることができない。つまり、回転操作式のスイッチをカメラ等のモード選択用のスイッチとして使用した場合には、選択可能なモード数が少数に限られてしまう欠点がある。
また、回転操作式のスイッチを指により回転操作するためには、少なくともスイッチの一部がカメラカバーの外表面よりも出っ張っていなければならないが、出っ張っていると、カバンやポケット等に入れている時に、誤って押されてしまう恐れがあるため、回転操作式スイッチを押しボタン式の電源スイッチと兼用することには問題があった。
また、上記の如き回転操作式のスイッチと押圧操作式のスイッチを兼用したスイッチを、防水構造を備えたカメラ等の電子機器のモードダイヤルとメインスイッチ（電源スイッチ）として使用する場合には、大型化、複雑化せずに防水構造を実現することは困難である。
【特許文献１】特開２０００−５６０４８
【０００３】
【発明が解決しようとする課題】
本発明は上記に鑑みてなされたものであり、回転操作式のスイッチと押圧操作式のスイッチを兼用したスイッチを備えたカメラ等の電子機器において、部品点数の増大、構造の複雑化、大型化、回転操作時の切り換え電極数の減少、防水構造を実現する際の大型化等の不具合を招くことのない防水型電子機器のスイッチ構造を提供することを目的とする。
【０００４】
【課題を解決するための手段】
上記目的を達成するため、請求項１の発明は、回転式操作部としての環状の第１の部材を備え、且つ電子機器本体の上カバーに設けた開口内に嵌合されて回転可能に支持されたモードダイヤルと、該環状の第１の部材の内部に軸方向移動可能に配置された押圧式の電源スイッチボタンと、前記電子機器本体と前記モードダイヤルと前記電源スイッチボタンとの接続部を封止する防水手段と、前記モードダイヤルの回転時に順次ＯＮ、ＯＦＦする複数のモード接点と、前記電源スイッチボタンの押圧時にＯＮする押圧接点と、を備え、非押圧時における電源スイッチボタンの表面を前記第１の部材の表面から突出しないように構成したことを特徴とする。
回転操作スイッチとしてのモードダイヤルの中央部に、独立して作動する電源スイッチボタンを防水構造で配置し、しかも電源スイッチボタンの押圧面をモードダイヤルの表面から突出させないようにしたので、電子機器のコンパクト化を実現すると共に、電源スイッチの誤操作を防止することができる。
請求項２の発明は、請求項１において、前記モードダイヤルは、前記第１の部材と、該第１の部材の下方に位置して該第１の部材に固定される第２の部材と、該第２の部材の下部に連結されて一体回転する回転部材と、該回転部材の下部に配置した回転電極と、を備え、前記電源スイッチボタンは、前記第１の部材の内部に露出配置される弾性材料から成る押圧操作部と、該押圧操作部に上端部を固定され且つ中間部を前記第２の部材の中心部に位置するスリーブ内に回転及び軸方向移動自在に遊嵌され、且つ下部に押圧電極を備えた軸部と、を備え、前記回転部材下部の回転電極の円形の移動経路に沿った位置に回転電極と接触可能な複数の前記モード接点を備えると共に、前記押圧操作部を押圧したときに前記押圧電極とＯＮする位置に押圧接点を備えていることを特徴とする。
モードダイヤルを構成する第２の部材の下部に回転部材を連結して一体回転させる際に、回転部材下部に設けた回転電極が、円形に配置された多数のモード接点と選択的にＯＮできるようにしたので、コンパクトな防水構造でありながら、モード数に応じた多数のモード接点を確保することが可能となる。
【０００５】
請求項３の発明は、請求項１又は２において、前記第２の部材は、前記軸部を内部に遊嵌するスリーブと、該スリーブの上端縁に一体化したフランジ部と、を備え、前記フランジ部上には前記第１の部材を固定すると共に、該フランジ部外周縁と第１の部材の外周下面との間で前記上カバーの内周縁を挟み込むことにより、前記第２の部材を上カバーにより回転自在に支持し、前記上カバー、第１の部材、及び第２の部材をユニットとして、電子機器本体に対して取り付け可能としたことを特徴とする。
これによれば、組立作業性が良く、また、作動が良好な中央に電源スイッチボタンを防水構造で配置した防水回転型モードダイヤルの取付け構造を提供することができる。
請求項４の発明は、請求項１、２又は３において、前記電子機器本体は、前記フランジ部の下面と対向する位置に機器本体カバーを備え、該機器本体カバーの中心開口内に前記スリーブを回転可能に遊嵌し、前記機器本体カバーと前記第２の部材との間に配置した環状パッキンを前記防水手段としたことを特徴とする。
これによれば、機器本体カバーと第２の部材（スリーブ外面、フランジ下面）との間の水密性を確保して防水構造とすることができる。
【０００６】
請求項５の発明は、請求項１、２、３又は４において、前記開口を中心として円形を描くように前記機器本体カバーの上面に配置した複数の穴と、各穴内に配置された弾性付勢部材と、該弾性付勢部材により上向き付勢されたクリックボールと、前記モードダイヤルを構成するフランジ部下面に形成され且つモードダイヤルの回転時に前記クリックボールが嵌合するクリック用凹所と、から成るクリック機構を備え、前記各穴と各クリック用凹所との周方向位置関係は、前記回転電極と前記各モード接点との位置関係と対応しており、何れかのクリック用凹所内にクリックボールが嵌合したときに、特定のモード接点と回転電極とが接続して特定のモード状態に移行できるように構成されていることを特徴とする。
これによれば、中央に電源スイッチボタンを防水構造で配置した回転型モードダイヤルのクリック機構を部品点数が少ない簡単な機構で実現することができる。
請求項６の発明は、請求項１乃至５の何れか一項に記載の発明において、前記押圧操作部は、被押圧部と、該被押圧部から外径方向斜め下方へ拡開した弾性スカート片と、を備え、該弾性スカート片の外周端縁を前記第１の部材と前記フランジ部との間で挟圧固定することにより被押圧部を変位可能に支持すると共に、押圧操作部の下方に位置する前記軸部に対する防水手段としたことを特徴とする。
押圧操作スイッチとしての電源スイッチボタンを接点側に押し込んだ後で、原位置に復帰させる格別の手段を設ける代わりに、キートップとして機能する被押圧部の一部である弾性スカート片を復帰バネとして利用するのみならず、弾性スカート片の外周縁全長に渡って位置する厚肉部を第１の部材と第２の部材との間で挟むことによりこの部分を防水手段として活用した。このため、少なく部品点数で、復帰バネと、防水手段を実現することができた。
【０００７】
【発明の実施の形態】
以下、本発明を図面に示した実施の形態により詳細に説明する。
図１は本発明の実施の形態に係る電子機器の一例としての防水型デジタルカメラの前方斜視図、図２は同じく後方斜視図を示す。また、図３はスイッチ部の拡大断面図である。
デジタルカメラ１は、正面から見て左側が右手グリップ部２であり、正面略中央には撮影レンズ３が取り付けられており、撮影レンズ３の上方にはユーザが撮影範囲等を目視で確認するための光学ファインダ５、低照度での撮影等の場合に補助光を発するためのストロボ６が夫々設けられている。
カメラ１の上面には、カメラの各種モードを選択する回転式スイッチから成るモードダイヤル７と、モードダイヤル７の中央に配置された押しボタン式スイッチとしての電源スイッチ（メインスイッチ）８と、シャッタボタン９と、外部ストロボを取り付けるアクセサリーシュー１０が設けられており、カメラ１の正面から見て右側面には、外部出力端子（図示省略）を被う端子蓋１１が設けられ、左側面にはメモリーカードと電池を装着可能なカードスロットと電池室（図示省略）を被う電池蓋１２が設けられている。モードダイヤル７と電源スイッチ８は、一つの兼用スイッチ１５を構成している。
図２に示すように、カメラ１の後面には、撮影画像を表示したり撮影モードを表示するＬＣＤモニター２１と、ファインダ接眼部２２と、ファインダＬＥＤ窓２３と、ズームボタン２４と、複数のモードスイッチ２５が設けられている。
【０００８】
図３は、本発明の一実施形態に係る防水型デジタルカメラの兼用スイッチ１５、即ち、回転操作式のモードダイヤル７と、モードダイヤル７の中央に設けた電源をＯＮ／ＯＦＦする電源スイッチ８の中心軸に沿う縦断面の概略を示す図である。
カメラ１の上面外装体を構成する上カバー４０には、兼用スイッチ１５を構成する部品を組み込んで支持するための開口４０ａが形成されており、上カバー４０の直下位置には所定の間隔を隔てて機器本体カバー４１がほぼ並行に配置され、機器本体カバー４１には上カバーの開口４０ａと同心形状で小径の中心開口４１ａが形成されている。本発明においては、機器本体カバー４１に対して、上カバー４０と兼用スイッチ１５から成るユニットを上側から取り付け可能に構成している点が一つの特徴をなしている。
モードダイヤル７は、環状の操作部としての第１の部材３１と、第１の部材３１の下方に位置して第１の部材３１とネジ３９その他の固定手段により締結されて一体化される第２の部材３２と、第２の部材３２の下端部に連結されて一体回転する回転部材５１と、回転部材５１の下面適所に固定配置された回転電極（接片ブラシ）５２と、を備えている。
第２の部材３２は、ネジ３９により第１の部材３１と連結されるフランジ部３２ａと、フランジ部３２ａの内径部から下方へ垂下された回転軸としての中空筒状のスリーブ３２ｂと、から構成されている。円板条の回転部材５１はその上面に回転対称に設けられた凹所５１ａを例えば２個備え、スリーブ３２ｂの下端部に回転対称に設けられた２本の回転ボス部３２ｃを、各凹所５１ａ内に嵌合させることにより、第２の部材３２と一体回転する。また、回転部材５１は、カメラ本体側の軸受部５３によって、外周面に設けた溝部５１ｂを摺動的に支持されている。
【０００９】
回転部材５１の直下位置にはプリント基板６１が配置され、プリント基板６１上には、回転部材５１の下面に固定された回転電極（接片ブラシ）５２の移動軌跡に沿った位置に所定の位置関係にて環状に配置されたモードパターン（モード接点）６２と、各回転電極５２の中心部に配置されたスイッチパターン（押圧接点）６３とが形成されている。モードパターン６２は、各モードを実現するための電極パターンであり、回転電極５２が接触導通することによって、当該モードを実現するためのモード位置信号を出力する。モードパターン６２は、比較的大径の移動軌跡を有した回転電極５２の移動軌跡に沿ったプリント基板上に配置されるので、多数のモードパターン６２の形成が可能となる。
第２の部材３２を構成するフランジ部３２ａの外周縁に設けた段部３２ｄと、第１の部材３１の外周下面３１ｂとの間で、上カバー４０の内周縁に設けた段部４０ｂを挟むことにより、第１及び第２の部材３１、３２は、その外周側を、上カバー４０により回転自在に支持される。また、同時に、第１及び第２の部材３１、３２を上カバー４０と一体化することにより、これらをユニット化して、デジタルカメラ１の本体カバー４１に取り付けることが可能となる。
また、第２の部材３２を構成するフランジ部３２ａの下面は、機器本体カバー４１の上面により支持されるように構成してもよい。スリーブ３２ｂは、機器本体カバー４１の開口４１ａ内に遊嵌挿通され、回転ボス部３２ｃによって機器本体カバー４１の下方に位置する回転部材５１と係合する。
【００１０】
機器本体カバー４１の内周側上面に設けた凹所４１ｂ内には弾性材料から成るＯリング等の環状のパッキン４５が配置されて、機器本体カバー４１と第２の部材３２との間の防水構造を実現している。凹所４１ｂの外径方向には所定の周方向配置にて複数の穴４６ａが形成され、各穴４６ａ内にはコイルバネ等の弾性付勢部材４６ｂ及びクリックボール４６ｃが配置されている。各穴４６ａと対向するフランジ部３２ａの下面適所にはクリックボール４６ｃが嵌合可能なクリック用凹所４７が形成されている。各穴４６ａと各クリック用凹所４７との周方向位置関係は、回転電極５２とプリント基板上のモードパターン６２との位置関係と対応しており、何れかのクリック用凹所４７内に各クリックボール４６ａが嵌合したときに、特定のモードパターン６２と回転電極５２とが接続して特定のモード状態に移行できるように構成されている。クリックボール４６ａが弾性付勢部材４６ｂからの付勢によって対向するクリック用凹所４７内に嵌合したり、クリック用凹所から離脱する際に操作者はクリック感を得ることにより、誤セットを防止することができる。のみならず、モードダイヤルの停止位置を規定するためのクリック力を発生させることができる。
穴４６ａ、弾性付勢部材４６ｂ、クリックボール４６ｃ、及びクリック用凹所４７は、クリック機構を構成している。
【００１１】
次に、電源スイッチボタン８は、環状の第１の部材３１の内部３１ａに露出配置されるゴム等の弾性材料から成る押圧操作部（キートップ）７０と、押圧操作部７０の下面によって上端大径部を係止固定され且つ中間部をスリーブ３２ｂ内に遊嵌され、且つ下端部に押圧電極７２を備えた軸部７１と、を備えている。
押圧操作部７０は、被押圧部７０ａと、被押圧部７０ａから外径方向斜め下方へスカート状（略円錐状）に延びる弾性スカート片７０ｂと、を備え、弾性スカート片７０ｂの端縁（厚肉部）７０ｃを第１の部材３１とフランジ部３２ａとの間で挟圧固定することにより、被押圧部７０ａを上下方向へ変位可能に支持すると共に、軸部７１に対する防水構造を実現し、更に電源スイッチボタン８をモードダイヤル７と連結している。即ち、第１の部材３１の内周と、被押圧部７０ａとの間の隙間から浸入する雨水は、弾性スカート片７０ｂの端縁の厚肉部７０ｃによってカメラ内（軸部７１側）への浸入を阻止される。また、弾性スカート片７０ｂは、被押圧部７０ａが下方に押圧されることにより軸部７１が下方へ待避した後で、押圧力を解除したときに、電源スイッチボタン８全体を図３に示した初期位置に復帰させるための復帰バネとしても機能する。
図示の如く、初期位置（非押圧時）における被押圧部７０ａの上面を、第１の部材３１の上面と同レベル以下に配置することにより、突出した被押圧部７０ａに対する誤操作によって電源スイッチボタン８を押圧することが無くなる。
【００１２】
なお、軸部７１の先端に設けた押圧電極７２は、その直下に位置するスイッチパターン（押圧接点）６３と導通可能な位置関係にあり、被押圧部７０ａが所定以上の力で押圧された際に、下方へ変位してスイッチパターン６３と導通し、押圧力を解消することによりＯＦＦ状態に復帰する。押圧電極７２がスイッチパターン６３とＯＮ、ＯＦＦすることにより、電源のＯＮ、ＯＦＦ信号が発生する。
上記の如き構成を備えた本発明の電子機器としてのデジタルカメラは、回転操作手段としてのモードダイヤル７の環状の第１の部材３１の内部に押圧操作スイッチとしての電源スイッチボタン８を配置してコンパクト化を図ると共に、電源スイッチボタン８の押圧操作部７０（キートップ）のスカート状の裾部７０ｂを第１の部材３１と第２の部材３２との間で挟圧保持することによりモードダイヤル７と電源スイッチボタン８の軸部７１との間を防水構造とした。このため、少ない部品点数により、コンパクト化と、防水構造を実現することができた。また、電源スイッチボタン８とモードダイヤル７とを一ヶ所に集中して配置することができるので、操作性の良い防水型デジタルカメラとすることができる。
更に、モードダイヤル７の回転軸となるスリーブ３２ｂとカメラ本体カバー４１との間にＯリング等の環状のゴム部品（パッキン４５）を挟んで防水構造としているので、簡単な構成で電源スイッチボタン８とモードダイヤル７を一ヶ所に集中して配置した経済的で操作性の良い防水型デジタルカメラを得ることができる。
【００１３】
また、回転操作するモードダイヤル７の中央に配置した電源スイッチボタン８の押圧操作部７０をゴム材料で形成し、モードダイヤル７を上下位置関係にある円環形状の上下の少なくとも部材３１、３２で構成してネジ３９にて固定し、電源スイッチボタン３３の周囲にある弾性スカート片７０ｂの周縁部７０ｃを第１及び第２の部材３１、３２にて挟み込んで防水構造とし、モードダイヤル７の下側の部材３２にクリック用凹所４７を形成し、そこにバネ４６ｂにより押されたクリックボール４６ｃを作用させることによりクリック力を発生させているので、簡単な構成で防水構造と、モードダイヤル７のクリック力を発生させることができ、経済的で操作性の良い防水型デジタルカメラとすることができる。
また、モードダイヤル７を上下位置関係にある２つの円環形状の部材３１、３２にて構成し、両部材３１、３２にて別部品の上カバー４０を上下から挟んでネジ３９止めして上カバー４０とユニット化して、カメラ本体カバー４１に上から組み付けることができる。そのために、組立性が良い。また、その時に上カバー４０の段部（小突条）４０ｂを、第１及び第２の部材３１、３２の外周部にて挟んで上カバー４０とユニットにし、デジタルカメラ本体カバー４１部分に取り付けられるので、上カバー４０によりモードダイヤル７の回転と位置のガイドがなされることとなり、モードダイヤル７の作動が確実になる。
なお、上記実施形態では、本発明のスイッチ構造を適用する電子機器としてデジタルスチルカメラを例示したが、本発明は銀塩カメラ、デジタルビデオカメラ、その他の電子機器一般に適用することができる。
【００１４】
【発明の効果】
以上のように本発明によれば、回転操作式のスイッチと押圧操作式のスイッチを兼用したスイッチを備えたカメラ等の電子機器において、部品点数の増大、構造の複雑化、大型化、回転操作時の切り換え電極数の減少、防水構造を実現する際の大型化等の不具合を招くことのない防水型電子機器のスイッチ構造を提供することができる。
即ち、請求項１の発明によれば、回転操作スイッチとしてのモードダイヤルの中央部に、独立して作動する押しボタンスイッチとしての電源スイッチボタンを防水構造で配置し、しかも電源スイッチボタンの押圧面をモードダイヤルの表面から突出させないようにしたので、電子機器のコンパクト化を実現すると共に、電源スイッチの誤操作を防止することができる。また、２つのスイッチを一カ所に集中配備できるので、操作が容易となる。
請求項２の発明によれば、モードダイヤルを構成する第２の部材の下部（スリーブ）に回転部材を連結して一体回転させる際に、回転部材下部に設けた回転電極が、円形に配置された多数のモード接点と選択的にＯＮできるようにしたので、コンパクトな防水構造でありながら、モード数に応じた多数のモード接点を確保することが可能となる。
請求項３の発明によれば、組立作業性が良く、また、作動が良好な中央に電源スイッチボタンを防水構造で配置した防水回転型モードダイヤルの取付け構造を提供することができる。
請求項４の発明によれば、機器本体カバーと第２の部材（スリーブ外面、フランジ下面）との間の水密性を確保して防水構造とすることができる。
請求項５の発明によれば、中央に電源スイッチボタンを防水構造で配置した回転型モードダイヤルのクリック機構を部品点数が少ない簡単な機構で実現することができる。モード切り換えをクリック感にて知ることができ、誤セットを防止できる。
請求項６の発明によれば、押圧操作スイッチとしての電源スイッチボタンを接点側に押し込んだ後で、原位置に復帰させる格別の手段を設ける代わりに、キートップとして機能する被押圧部の一部である弾性スカート片を復帰バネとして利用するのみならず、弾性スカート片の外周縁全長に渡って位置する厚肉部を第１の部材と第２の部材との間で挟むことによりこの部分を防水手段として活用した。このため、少なく部品点数で、復帰バネと、防水手段を実現することができた。
【図面の簡単な説明】
【図１】本発明の実施の形態に係る電子機器の一例としての防水型デジタルカメラの前方斜視図。
【図２】図１のカメラの後方斜視図。
【図３】スイッチ部の拡大断面図。
【符号の説明】
１　デジタルカメラ（電子機器）、２　グリップ部、３　撮影レンズ、５　光学ファインダ、６　のストロボ、７　モードダイヤル、８　電源スイッチ（メインスイッチ）、９　シャッタボタン、１５　兼用スイッチ、３１　第１の部材、３１ａ　内部、３１ｂ　外周下面、３２　第２の部材、３２ａ　フランジ部、３２ｂ　スリーブ、４０　上カバー、４０ａ　開口、４１　本体カバー、４１ａ　開口、４１ｂ　凹所、４５　パッキン、４６ａ　穴、４６ｂ　弾性付勢部材、４６ｃ　クリックボール、４７　クリック用凹所、５１　回転部材、５１ａ　凹所、５１ｂ　溝部、５３　軸受部、６１　プリント基板、６２　モードパターン（モード接点）、６３　スイッチパターン（押圧接点）、７０　押圧操作部、７０ａ　被押圧部、７０ｂ　弾性スカート片、７０ｃ　端縁（厚肉部）、７１　軸部。
【図１】
2004146163.tif 000003
【図２】
2004146163.tif 000004
【図３】
2004146163.tif 000005